(57)【要約】【課題】見る方向によって異なる像が浮かび上がるホログラム印刷を検査する際に、ひとつの視線方向から同時に複数のホログラム像を観察できるシンプルなホログラム印刷検査器を提供する。【解決手段】ホルダ３に、ホログラム印刷１４の観察位置に対応させて観察窓４を形成するとともに、観察窓４とホログラム観察位置との間でホログラム印刷１４を挟んで一対のミラー２を所定の傾き角度で逆ハの字状に配置することによってホログラム印刷検査器１を構成する。観察者１６は観察窓４から観察位置のホログラム印刷１４の直視像（１５）および各ミラー２の反射像（１５）を一視線方向から同時に観察できる。【選択図】図１
2007072950.tif 000002
【特許請求の範囲】
【請求項１】
ホルダ（３）に、ホログラム印刷（１４）の観察位置に対応させて観察窓（４）を形成するとともに、観察窓（４）とホログラム観察位置との間でホログラム印刷（１４）を挟んで一対のミラー（２）を所定の傾き角度で逆ハの字状に配置してなり、観察窓（４）から観察位置のホログラム印刷（１４）の直視像および各ミラー（２）の反射像を一視線方向から同時に観察可能とすることを特徴とするホログラム印刷検査器（１）。
【請求項２】
ホルダ（３）に、ホログラム印刷（１４）の観察位置に対応させて観察窓（４）を形成するとともに、観察窓（４）とホログラム観察位置との間でホログラム印刷（１４）を挟んで一対のミラー（２）を所定の傾き角度で逆ハの字状に配置し、一対のミラー（２）の側方位置に照明具（５）をホログラム観察位置に向けて配置してなり、観察窓（４）から観察位置のホログラム印刷（１４）の直視像および各ミラー（２）の反射像を一視線方向から同時に観察可能とすることを特徴とするホログラム印刷検査器（１）。
【請求項３】
ホルダ（３）の観察窓（４）に拡大レンズ（６）を設けることを特徴とする請求項１または請求項２記載のホログラム印刷検査器（１）。
【請求項４】
ホルダ（３）に、検査対象を所定の観察位置に位置決めする位置決め片（９）を設けることを特徴とする請求項１または請求項２記載のホログラム印刷検査器（１）。
【発明の詳細な説明】
【技術分野】
【０００１】
本発明は、紙幣等に印刷されたホログラム印刷の真偽を検査する簡易なホログラム印刷検査器に関する。
【背景技術】
【０００２】
紙幣や有価証券等には偽造防止用のホログラム印刷が施されていることが多い。例えば、新一万円札では、見る方向によって異なる３つの像が浮かび上がるホログラム印刷が施されており、そのホログラム印刷の有無、特にその像から紙幣の真偽が確認できるようになっている。ホログラム印刷の像から紙幣の真偽を確認するためには、紙幣を例えば水平面に置き、ホログラム印刷を垂直方向、左斜め上方向および右斜め上方向の３方向から、別々に視認する必要があり、３つの像を目視で３方向から確認するにはある程度の時間を要する。したがって、迅速な接客を必要とする窓口業務・清算業務において、ホログラム印刷によって紙幣の真偽を正確に判断することは事実上難しい状況であった。
【０００３】
これに対し、特許文献１にあるように、像が浮かび上がる３方向の所定の角度ごとにカメラを複数設置し、カメラで撮像した複数の像を画像処理して、モニタ上で同時に確認すれば、迅速・確実に紙幣の真偽の確認をすることができる。しかし、この技術によると、モニタおよび複数のカメラを要し、装置が大がかりになって、コストがかかり、簡易な検査といえないという欠点がある。また、紙幣の真偽の確認作業は、客に不快感を与える場合があるため、客に知られないでする事が望ましいが、装置が大がかりになるとそれも困難である。
【特許文献１】特開２００２−２２１４９６
【発明の開示】
【発明が解決しようとする課題】
【０００４】
したがって、発明の課題は、見る方向によって異なる像が浮かび上がるホログラム印刷を検査する際に、一視線方向から同時に複数のホログラム像を観察できるシンプルなホログラム印刷検査器を提供することである。
【課題を解決するための手段】
【０００５】
上記の課題のもとに、請求項１の発明は、ホルダ（３）に、ホログラム印刷（１４）の観察位置に対応させて観察窓（４）を形成するとともに、観察窓（４）とホログラム観察位置との間でホログラム印刷（１４）を挟んで一対のミラー（２）を所定の傾き角度で逆ハの字状に配置して、ホログラム印刷検査器（１）を構成している。
【０００６】
また請求項２の発明は、ホルダ（３）に、ホログラム印刷（１４）の観察位置に対応させて観察窓（４）を形成するとともに、観察窓（４）とホログラム観察位置との間でホログラム印刷（１４）を挟んで一対のミラー（２）を所定の傾き角度で逆ハの字状に配置し、一対のミラー（２）の側方位置に照明具（５）をホログラム観察位置に向けて配置して、ホログラム印刷検査器（１）を構成している。
【０００７】
請求項３の発明は、請求項１または請求項２の発明において、観察窓（４）に拡大レンズ（６）を設けている。
【０００８】
また、請求項４の発明は、請求項１または請求項２の発明において、ホルダ（３）に、検査対象を所定の観察位置に位置決めする位置決め片（９）を有している。
【発明の効果】
【０００９】
本発明では、次の効果が得られる。観察者は、ホログラム印刷を検査する際に、ホログラム印刷検査器を利用することにより、観察窓から、観察位置のホログラム印刷の直視像および各ミラーの反射像を一視線方向から同時に観察することによって、ホログラム印刷を同時に３方向から観察できるようにしたから、紙幣等の真偽をホログラム印刷で確認するときに、異なる３方向毎に視認するという確認作業が必要なくなり、その分確認作業の労が軽減できる（請求項１・請求項２）。しかも、ホログラム印刷検査器の構造はきわめてシンプルであり、設備投資の負担も少ない（請求項１・請求項２）。さらに、紙幣等のホログラム印刷の真偽を短時間に確認できるから、客に知られないまま確認作業が可能であり、客に不快感を与えることがない（請求項１・請求項２）。
【００１０】
照明具をホログラム観察位置に向けて配置したから、手元の暗い環境でも、確実に紙幣等のホログラム印刷の真偽を判断できる（請求項２）。
【００１１】
観察窓に拡大レンズを設けたから、ホログラム印刷の像を拡大して目視することができ、細かな部分も確実に視認できる（請求項３）。
【００１２】
ホルダに、検査対象を所定の観察位置に位置決めする位置決め片を配置したから、すばやく所定の観察位置に紙幣等をセットすることができ、確認作業の時間短縮が可能である（請求項４）。
【発明を実施するための最良の形態】
【００１３】
図１は、本発明のホログラム印刷検査器１の平面図を示している。図２、図３は、図１において、それぞれＡ−Ａ矢印方向、Ｂ−Ｂ矢印方向の断面図を示している。ホログラム印刷検査器１は、底の無い箱状のホルダ３をフレームとして構成されている。ホルダ３の上面には、検査対象の紙幣例えば一万円札１３のホログラム印刷１４の観察位置に対応して観察窓４が形成されており、観察窓４とホログラム観察位置との間でホログラム印刷１４を挟んで一対のミラー２が所定の傾き角度で逆ハの字状に配置されている。
【００１４】
一対のミラー２の傾き角度は、観察者（目）１６が観察窓４からホログラム印刷１４を見たときに、左右の各ミラー２にホログラム印刷１４の左斜め上方向、右斜め上方向の像（反射像）１５が映り込むように定められる。一万円札１３の場合に、ホログラム印刷１４には、左斜め上方向の像１５として「図案化日模様」、右斜め上方向の像１５として額面表示用の「１００００」、札表面に対して垂直方向の像１５として「桜模様」、の三つの模様が現れるように印刷されているが、このうちの一つの「桜模様」を直視し、他の２つの「図案化日模様」、「１００００」を各ミラー２の反射像により観察できるようにミラー２の傾き角度を定める。なお、ミラー２は、ねじ７およびホルダ３に加工された長穴８によりホルダ３の上面裏側にスライド可能に取り付けられており、ホログラム印刷１４の像の映り込み位置を調整できるようになっている。ホルダ３の内側壁は、光の乱反射によって観察が妨げられることのないように艶消し黒で塗装されている。
【００１５】
一対のミラー２の一方の側方位置には、照明具５がホログラム観察位置に向けて配置されている。照明具５は、クリップ１０、ブラケット１１、ねじ１２によって、ホルダ３の側面に斜めに取り付けられており、先端の照射部分はホルダ３の内部に突出し、ホログラム観察位置を照明するようになっている。なお、照明具５は、ホログラム観察位置に近づけすぎると、観察窓４の視野に入ってしまうので、ある程度離れた位置に配置する必要がある。そのため、照明具５は、離れた位置に配置しても充分な光量を得られるように指向性のあるものが望ましく、また紙幣の色合いを確認し易くするために白色光であることが望ましい。例えば白色ＬＥＤが考えられるが、白色ランプでもよい。
【００１６】
また、観察窓４には、拡大レンズ６が設けられている。これにより、観察者（目）１６は３つの像１５を拡大して観察することができ、紙幣の真偽の判断がし易くなっている。
【００１７】
ホログラム印刷検査器１は、通常の机等の平らなベース１７上に置いて使用する。ここでベース１７はホルダ３に固定してもしなくてもよい。ホルダ３は、ベース１７との間で挿入口１８を形成しており、観察者１６はこの挿入口１８から検査対象の一万円札１３を挿入する。なお、ホルダ３は、検査対象の一万円札１３を所定の観察位置に位置決めするために、例えばＬ字状の位置決め片９を有している。観察者１６は、挿入口１８から検査対象の一万円札１３を挿入する際に、一万円札１３の隅部分をＬ字状の位置決め片９に当てることにより、ホログラム印刷検査器１の観察位置にホログラム印刷１４部分を容易に位置決め状態でセットできる。
【００１８】
観察位置にセットされたホログラム印刷１４の像は、３つの経路によって観察者１６の眼に到達する。すなわち、観察者１６に直接到達する１つの直視像、ミラー２に反射してから観察者１６に到達する２つの反射像の合計３つである。この結果、観察者１６は、観察窓４からホログラム印刷１４を見るとき、１つの像１５としての直視像（「桜模様」）、２つの像１５としての反射像（「図案化日模様」および「１００００」）を異なる３方向から同時に１画面として観察できる。なお、観察窓４に拡大レンズ６が設けられているときには、観察者１６は、拡大レンズ６により拡大された３つの像１５を観察することになる。
【００１９】
なお、本発明では、光学系にミラー２を用いているが、同一機能をプリズムで代用することもできる。したがって、プリズムはミラー２と均等物となる。
【産業上の利用可能性】
【００２０】
本発明は、一万円札に限らず五千円札の真偽の判断にも使用でき、また、ホログラム印刷を有するチケット等の検査にも使用できる。また、本発明のホログラム印刷検査器１に１台のカメラと画像処理装置とを組み合わせることによって、ホログラム印刷の真偽を画像処理により識別することもできる。
【図面の簡単な説明】
【００２１】
【図１】ホログラム印刷検査器１の平面図である。
【図２】ホログラム印刷検査器１の図１でのＡ−Ａ矢印方向の断面図である。
【図３】ホログラム印刷検査器１の図１でのＢ−Ｂ矢印方向の断面図である。
【符号の説明】
【００２２】
１  ホログラム印刷検査器
２  ミラー
３  ホルダ
４  観察窓
５  照明具
６  拡大レンズ
７  ねじ
８  長穴
９  位置決め片
１０  クリップ
１１  ブラケット
１２  ねじ
１３  一万円札
１４  ホログラム印刷
１５  像（直視像、左右斜め方向の反射像）
１６  観察者（目）
１７  ベース
１８  挿入口
【図１】
2007072950.tif 000003
【図２】
2007072950.tif 000004
【図３】
2007072950.tif 000005
【手続補正書】
【提出日】平成17年9月12日(2005.9.12)
【手続補正２】
【補正対象書類名】図面
【補正対象項目名】図１
【補正方法】変更
【補正の内容】
【図１】
2007072950.tif 000006
【手続補正３】
【補正対象書類名】図面
【補正対象項目名】図２
【補正方法】変更
【補正の内容】
【図２】
2007072950.tif 000007
【手続補正４】
【補正対象書類名】図面
【補正対象項目名】図３
【補正方法】変更
【補正の内容】
【図３】
2007072950.tif 000008